(57)【要約】【課題】２つの異なる基線長を用いる焦点検出装置において、焦点検出センサの大きさと焦点検出精度のバランスが取れた焦点検出を行うこと。【解決手段】焦点検出装置は、撮像レンズを通過した光束を分割する。第１の焦点検出光学系ＦＤ１は、第１の基線長を有する分割された光束を用いて第１の検出面部に形成される複数の像の相対的な位置関係から撮像レンズの焦点検出を行う。また、第２の焦点検出光学系ＦＤ２は、第１の基線長と異なる第２の基線長を有する分割された光束を用いて第２の検出面部に形成される複数の像の相対的な位置関係から撮像レンズの焦点検出を行う。第１の焦点検出光学系ＦＤ１と第２の焦点検出光学系ＦＤ２の各結像レンズの倍率または光路長が異なり、各焦点検出光学系の光学像の大きさが異なる。【選択図】  図７
2015036793.tif 000002
【特許請求の範囲】
【請求項１】
撮像光学系を通過した光束を分割し、分割された複数の光束を用いて前記撮像光学系の焦点検出を行う焦点検出装置であって、
第１の基線長を有する前記分割された光束を用いて第１の検出面部に形成される複数の像の相対的な位置関係から前記撮像光学系の焦点検出を行う第１の焦点検出光学系と、
前記第１の基線長よりも長い第２の基線長を有する前記分割された光束を用いて前記第１の検出面部とは異なる第２の検出面部に形成される複数の像の相対的な位置関係から前記撮像光学系の焦点検出を行う第２の焦点検出光学系を備え、
前記第１の焦点検出光学系の光学像の大きさと、前記第２の焦点検出光学系の光学像の大きさが異なることを特徴とする焦点検出装置。
【請求項２】
前記第１の焦点検出光学系の結像倍率と、前記第２の焦点検出光学系の結像倍率とが異なることを特徴とする請求項１に記載の焦点検出装置。
【請求項３】
前記第１の焦点検出光学系における結像レンズの像側主面の位置と、前記第２の焦点検出光学系における結像レンズの像側主面の位置が、前記検出面部に垂直な方向にて異なることを特徴とする請求項１または２に記載の焦点検出装置。
【請求項４】
前記第１の検出面部及び該第１の検出面部と平行な前記第２の検出面部を有する焦点検出センサを備え、
前記第１の焦点検出光学系における結像光学系の光路長と、前記第２の焦点検出光学系における結像光学系の光路長が異なることを特徴とする請求項３に記載の焦点検出装置。
【請求項５】
前記第１の検出面部と前記第２の検出面部との間に段差構造を備えることを特徴とする請求項４に記載の焦点検出装置。
【請求項６】
前記第１の検出面部と前記第２の検出面部は、前記結像光学系を構成する結像レンズの側に保護膜を有しており、前記第１の検出面部の保護膜の光路長と前記第２の検出面部の保護膜の光路長が異なることを特徴とする請求項４または５に記載の焦点検出装置。
【請求項７】
前記第１の焦点検出光学系及び第２の焦点検出光学系は、被写体の同一領域に対する前記撮像光学系の焦点検出を行うことを特徴とする請求項１ないし６のいずれか１項に記載の焦点検出装置。
【請求項８】
請求項１ないし７のいずれか１項に記載の焦点検出装置を備えることを特徴とするレンズ鏡筒。
【請求項９】
請求項８に記載のレンズ鏡筒を備えることを特徴とする撮像装置。
【発明の詳細な説明】
【技術分野】
【０００１】
本発明は、撮像光学系の焦点検出装置に関し、特に結像光学系の構成に関するものである。
【背景技術】
【０００２】
デジタルカメラやビデオカメラ等の普及に伴って、撮像装置には高品位化及び小型化がますます要求されるようになってきている。特に、撮像レンズ（撮像光学系）の焦点状態を検出する焦点検出装置の高精度及び小型化が望まれている。現在の焦点検出装置では、撮像レンズの瞳を複数の領域に分割し、各領域を通過した光束が形成する複数の光学像の相対的な位置関係から撮像レンズの焦点状態を検出するTTL（Through the Lens）位相差検出方式が主流である。焦点状態の情報を検出する焦点検出センサ上に形成される被写体像の結像倍率が大きくなれば、デフォーカス量に対する光学像の動きを精緻に検出できるため、高精度な焦点検出が可能となる。また、撮像レンズの射出瞳面における一対の像同士の距離（基線長）が長ければ、高精度な焦点検出が可能となる。
【０００３】
近年のカメラに搭載されている焦点検出装置では、より高精度に焦点検出を行うために、Ｆ値の小さいレンズの使用時に限定で動作する、長い基線長の光束を用いて焦点検出を行うものがある。この場合、被写体の同一領域について２つの異なる基線長の光束で焦点検出することが一般的である。このため、焦点検出センサの一点（焦点検出センサの中央付近であることが一般的）を中心に、異なる基線長の光学像が結像する。長い基線長を持つ光束を用いた焦点検出装置では、光学像が結像する領域が拡大するため、焦点検出センサは基線長方向に大型化する。焦点検出センサ上で異なる基線長の光学像を効率良く配置する方法が特許文献１に開示されている。特許文献１では、図１７に示すように、短い基線長を持つ光学像を焦点検出センサの長手方向及び短手方向に配置する（素子配列１１６ａｈ１及び１１６ａｈ２、１１６ａｖ１及び１１６ａｖ２参照）。また、長い基線長を持つ光学像を焦点検出センサの長手方向と短手方向に対して斜め方向に配置する（素子配列１１６ａｓ１及び１６ａｓ２、１１６ａｄ１及び１１６ａｄ２参照）。これにより、焦点検出センサの大型化を伴わずに、長い基線長の光学像を焦点検出センサ上に効率良く配置できる。
【先行技術文献】
【特許文献】
【０００４】
【特許文献１】特開２０１１−１０００７７号公報
【発明の概要】
【発明が解決しようとする課題】
【０００５】
焦点検出センサ上における光学像の大きさは、一次結像面近傍の視野マスクの開口の大きさと焦点検出光学系の結像倍率によって決定され、一対の光学像の距離は基線長によって決定される。隣接する光学像同士が重なり合うと、隣接する光学像がノイズとなり、焦点検出精度が低下してしまう。そのため、焦点検出センサ上における光学像の配置については、光学像の大きさと基線長を考慮しつつ光学像同士が重なり合わないようにする必要がある。
【０００６】
特許文献１に開示の焦点検出装置では、図１７に示すように、全ての光学像の大きさが基線長に関わらず同一である。光学像の大きさは、短い基線長の光学像が重ならず且つ焦点検出センサが不必要に大型化しない条件下で最適化されている。このため、焦点検出センサの大きさと、短い基線長の光束を用いる際の焦点検出精度のバランスが取れている。しかし長い基線長の光学像の大きさは、短い基線長の光学像の大きさと同じである。焦点検出センサのサイズ低減を優先すると、長い基線長の光束を用いた焦点検出精度が損なわれ、また焦点検出精度を優先すると、焦点検出センサが大サイズ化する。
本発明の目的は、２つの異なる基線長を用いる焦点検出装置において、焦点検出センサの大きさと焦点検出精度のバランスが取れた焦点検出を行うことである。
【課題を解決するための手段】
【０００７】
上記課題を解決するために、本発明に係る装置は、撮像光学系を通過した光束を分割し、分割された複数の光束を用いて前記撮像光学系の焦点検出を行う焦点検出装置であって、第１の基線長を有する前記分割された光束を用いて第１の検出面部に形成される複数の像の相対的な位置関係から前記撮像光学系の焦点検出を行う第１の焦点検出光学系と、前記第１の基線長よりも長い第２の基線長を有する前記分割された光束を用いて前記第１の検出面部とは異なる第２の検出面部に形成される複数の像の相対的な位置関係から前記撮像光学系の焦点検出を行う第２の焦点検出光学系を備え、前記第１の焦点検出光学系の光学像の大きさと、前記第２の焦点検出光学系の光学像の大きさが異なる。
【発明の効果】
【０００８】
本発明によれば、２つの異なる基線長を用いる焦点検出装置において、焦点検出センサの大きさと焦点検出精度のバランスが取れた焦点検出を行うことができる。
【図面の簡単な説明】
【０００９】
【図１】本発明の実施形態に係る焦点検出装置を含む撮像装置の概略構成図である。
【図２】焦点検出装置の多孔絞りの開口から見た場合の、撮像レンズの射出瞳を模式的に示す平面図である。
【図３】焦点検出装置の構成例を示す概略斜視図である。
【図４】焦点検出装置のＹＺ断面図である。
【図５】焦点検出装置における視野マスクを示す概略平面図である。
【図６】焦点検出装置における多孔絞りを示す概略平面図である。
【図７】焦点検出装置における再結像レンズを示す概略平面図である。
【図８】本発明の第１実施形態に係る再結像レンズのＸＺ中央断面図である。
【図９】本発明の第１、第３ないし第５実施形態に係る焦点検出センサを示す概略平面図である。
【図１０】本発明の第２実施形態に係る再結像レンズのＸＺ中央断面図である。
【図１１】本発明の第２ないし第５実施形態に係る焦点検出センサを示す概略平面図である。
【図１２】本発明の第２実施形態に係る焦点検出センサを示す概略平面図である。
【図１３】本発明の第３実施形態に係る焦点検出センサのＸＺ側面図である。
【図１４】本発明の第４実施形態に係る焦点検出センサのＸＺ側面図である。
【図１５】本発明の第５実施形態に係る焦点検出センサのＸＺ側面図である
【図１６】本発明の第５実施形態に係る焦点検出センサの別例を示すＸＺ側面図である。
【図１７】従来技術における焦点検出センサ上の光学像の配置を示す概略平面図である。
【発明を実施するための形態】
【００１０】
本発明の各実施形態を、添付図面に従って説明する。
［第１実施形態］
図１を参照して、本発明の第１実施形態に係る焦点検出装置１００を含む撮像装置１の概略構成を説明する。
撮像装置１は、撮像レンズ１０及びカメラ本体部を備える。カメラ本体部には、図示しないマウント部を介して、撮像レンズ１０が装着可能である。撮像装置１は、例えば、一眼レフカメラである。被写体を撮像するための交換型の撮像レンズ１０は、図示しない焦点調節レンズを含む撮像光学系を備える。撮像レンズ１０は、焦点検出装置１００による焦点検出結果に応じて、焦点調節レンズが駆動され、焦点状態が調整される。撮像レンズ１０は、レンズ鏡筒ＬＢによって、光軸(主光軸ＯＡ)の方向に移動可能に保持される。なお、撮像レンズ１０は、カメラ本体部に装着された状態において撮像装置１の撮像光学系として機能するので、以下では撮像装置１の構成要素として扱う。
【００１１】
カメラ本体部は、主ミラー２０、ファインダ光学系３０、サブミラー４０、撮像素子５０、焦点検出装置１００、及び制御部８０を有する。
主ミラー２０は、半透過性を有するハーフミラー又は一部にハーフミラー面を有する可動ミラーで構成される。主ミラー２０は、撮像レンズ１０を通過した光の一部を反射する。その反射光は光軸ＯＡ2に沿ってファインダ光学系３０に導かれる。撮像レンズ１０を通過した光の一部は透過光として、主光軸ＯＡに沿ってサブミラー４０へと導かれる。
ファインダ光学系３０は、被写体を観察するための光学系であり、被写体像と等価な観察用の画像をユーザに提供する。ファインダ光学系３０は、図１に示すように、焦点板３２と、ペンタプリズム３４と、接眼レンズ３６を有する。
【００１２】
主ミラー２０で反射した撮像レンズ１０からの光は焦点板３２の近傍に集光する。焦点板３２は、マット面とフレネル面とを有し、その面上にファインダ視野が形成される。焦点板３２はさらに被写体光を拡散し、ペンタプリズム３４に射出する。ペンタプリズム３４は光路変換素子であり、焦点板３２で拡散された光を複数の面で反射し、接眼レンズ３６に導く。アイピースとも呼ばれる接眼レンズ３６により、焦点板３２上に形成されたファインダ視野をユーザが観察する。
サブミラー４０は、主ミラー２０に対して主光軸ＯＡの後方（撮像素子５０側）に配置される。サブミラー４０は、主ミラー２０の透過光を反射し、光軸ＯＡ1に沿って焦点検出装置１００に導く。光軸ＯＡ1は、サブミラー４０によって主光軸ＯＡから偏向された光軸である。サブミラー４０は、主光軸ＯＡ上の撮像光路への挿脱が可能であり、ファインダ観察時に撮像光路上の所定の位置に配置される。また、サブミラー４０は、撮像時に撮像光路外に退避する。
【００１３】
撮像素子５０は、複数の画素が規則的に配列された画素群を備える。撮像素子５０は、撮像レンズ１０によって撮像面（画素配列面）に形成される被写体像を受光し、画像信号に変換する。撮像素子５０は、例えば、受光した光像を画素毎に光電変換し、その受光量に応じた電荷をそれぞれ蓄積し、電荷を読み出すタイプのエリア（２次元）センサで構成される。撮像素子５０は、例えば、ＣＭＯＳ（相補型金属酸化膜半導体）イメージセンサやＣＣＤ（電荷結合素子）イメージセンサである。なお、撮像素子５０の出力信号は、図示しない画像処理回路にて所定の処理が施され、記録用画像データへ変換される。その後、記録用画像データは図示しない半導体メモリ、光ディスク及び磁気テープ等の記録媒体に記録される。
位相差検出方式の焦点検出装置１００は、撮像レンズ１０の焦点状態を検出する。焦点検出装置１００は、撮像レンズ１０を通過してサブミラー４０で反射した光を分割する。分割された光束により複数対の像が形成され、焦点検出装置１００は各対の像を光電変換して得られる信号に基づき、像の相対的な位置関係に応じて撮像レンズ１０の焦点状態を検出する。
【００１４】
次に、図２ないし図４を参照して、焦点検出装置１００の構成を説明する。図２は、図３及び図４に示す焦点検出装置１００の多孔絞り１１４の開口から見た場合の、撮像レンズ１０の射出瞳を模式的に示す平面図である。図３及び図４は焦点検出装置１００の詳細図である。図３に示すＸ軸、Ｙ軸、Ｚ軸の各方向については、Ｚ軸の方向が光軸ＯＡ1と同一方向である。Ｚ軸に直交するＸ軸の方向は、視野マスク１１０の開口１１０ａの第１方向（短手方向）である。Ｙ軸はＺ軸及びＸ軸に直交し、Ｙ軸方向は視野マスク１１０の開口１１０ａの第２方向（長手方向）である。
【００１５】
本発明における第１の焦点検出光学系は、撮像レンズ１０と同心の円１０１（図２）上に配置された撮像レンズ１０の射出瞳１０ａ、１０ｃ、１０ｅ、１０ｇを通過した光束により焦点検出を行う。基線長１０ａｅは、射出瞳１０ａと射出瞳１０ｅとの重心間距離であり、基線長１０ｃｇは、射出瞳１０ｃと射出瞳１０ｇとの重心間距離である。基線長１０ａｅ及び１０ｃｇは、本発明における第１の基線長である。
また、本発明における第２の焦点検出光学系は、撮像レンズ１０と同心の円１０２（図２）上に配置された射出瞳１０ｂ、１０ｄ、１０ｆ、１０ｈを通過した光束により焦点検出を行う。基線長１０ｂｆは、射出瞳１０ｂと射出瞳１０ｆとの重心間距離であり、基線長１０ｄｈは、射出瞳１０ｄと射出瞳１０ｈとの重心間距離である。基線長１０ｂｆ及び１０ｄｈは、本発明における第２の基線長である。
【００１６】
図３及び図４に示す焦点検出装置１００は、主光軸ＯＡに近い側から光軸ＯＡ1に沿って、視野マスク１１０、フィールドレンズ１１１、フィルタ１１３、多孔絞り１１４、再結像レンズ１１５、及び焦点検出センサ１１６を順に含む。再結像レンズ１１５は、複数の結像レンズを含むレンズ群である。また、本発明の撮像素子は焦点検出センサ１１６である。
図５に視野マスク１１０を示す。視野マスク１１０は、撮像レンズ１０を通過した光束を制限するための矩形の開口１１０ａを中央部に有する。視野マスク１１０は、撮像レンズ１０の予定結像面の近傍に配置される。
【００１７】
フィールドレンズ１１１は、視野マスク１１０に対して光軸ＯＡ1の下流側（焦点検出センサ１１６側）に配置され、光学作用を持つレンズ部１１１ａを含む。レンズ部１１１ａは、フィールドレンズ１１１における視野マスク１１０の開口１１０ａに対応した部分である。フィルタ１１３は、近赤外光よりも長い波長の光を遮光する。フィルタ１１３は、可視光に対して収差補正された撮像レンズ１０の焦点を検出する場合に適応し、後述する焦点検出センサ１１６に不要な赤外光が入射することを防止する。
【００１８】
多孔絞り１１４は薄板で構成され、フィルタ１１３に対して光軸ＯＡ1の下流側に隣接して配置される。多孔絞り１１４の構成を図６に示す。多孔絞り１１４は、その中央部に、以下に示す複数の開口部を有する。
・１対の開口部１１４ａｖ１及び１１４ａｖ２：開口１１０ａの長手方向（Ｙ方向）に配列される。
・１対の開口部１１４ａｈ１及び１１４ａｈ２：開口１１０ａの短手方向（Ｘ方向）に配列される。
・１対の開口部１１４ａｓ１及び１１４ａｓ２：左斜め４５度方向に配列される。
・１対の開口部１１４ａｄ１及び１１４ａｄ２：右斜め４５度方向に配列される。
【００１９】
開口部１１４ａｖ１、１１４ａｖ２、１１４ａｈ１、１１４ａｈ２は、略同一円に内接するように配されている。また、開口部１１４ａｓ１、１１４ａｓ２、１１４ａｄ１、１１４ａｄ２は、前述の内接円と同心であって直径がより大きな略同一円に内接するように配されている。この配置により、開口部１１４ａｓ１、１１４ａｓ２、１１４ａｄ１、１１４ａｄ２には、他の開口部１１４ａｖ１、１１４ａｖ２、１１４ａｈ１、１１４ａｈ２と比べ、より明るい（Ｆナンバーの小さい）撮像レンズ１０の光束が到達する。多孔絞り１１４の複数の開口部１１４ａｖ１、１１４ａｖ２、１１４ａｈ１、１１４ａｈ２、１１４ａｓ１、１１４ａｓ２、１１４ａｄ１、及び１１４ａｄ２を総括して開口部１１４ａと表記する。開口部１１４ａは、フィールドレンズ１１１のレンズ部１１１ａによって、撮像レンズ１０の射出瞳近傍に逆投影されるように構成される。従って、視野マスク１１０の開口１１０ａに入射した光束の一部は、必ず多孔絞り１１４の開口部１１４ａに到達する。
【００２０】
再結像レンズ１１５は、撮像レンズ１０によって結像された、予定結像面上の被写体像を、光軸ＯＡ1の下流に配置された焦点検出センサ１１６の各素子配列の上に形成する。焦点検出センサ１１６は複数対の素子配列を有しており、後述のように、複数の焦点検出素子が所定の方向に配列されている。再結像レンズ１１５は、多孔絞り１１４が有する４対の開口に対応するプリズム部及びレンズ部を有する。
図７（Ａ）及び（Ｂ）は再結像レンズ１１５の入射側を示す。図７（Ｃ）は再結像レンズ１１５の射出側を示しており、図７（Ａ）及び（Ｂ）とは左右が逆転していることに注意を要する。
再結像レンズ１１５は、入射側にて、多孔絞り１１４の開口部に対応するレンズ部１１５０ａ（図７（Ａ）参照）、または多孔絞り１１４の開口部に対応するプリズム部１１５１ａ（図７（Ｂ）参照）を有する。
【００２１】
レンズ部１１５０ａは複数のレンズ部１１５０ａｖ１、１１５０ａｖ２、１１５０ａｈ１、１１５０ａｈ２、１１５０ａｓ１、１１５０ａｓ２、１１５０ａｄ１、及び１１５０ａｄ２を総括する。図７（Ａ）における各レンズ部の配置は以下の通りである。
・レンズ部１１５０ａｖ１、１１５０ａｖ２：再結像レンズ１１５の中央部にてＹ方向に配列される。
・レンズ部１１５０ａｈ１、１１５０ａｈ２：再結像レンズ１１５の中央部にてＸ方向に配列される。
・レンズ部１１５０ａｓ１、１１５０ａｄ２、１１５０ａｓ２、及び１１５０ａｄ１：レンズ部１１５０ａｖ１、１１５０ａｈ１、１１５０ａｖ２、１１５０ａｈ２にそれぞれ隣接して斜め方向に配列される。
【００２２】
また、プリズム部１１５１ａは複数のプリズム部１１５１ａｖ１、１１５１ａｖ２、１１５１ａｈ１、１１５１ａｈ２、１１５１ａｓ１、１１５１ａｓ２、１１５１ａｄ１、及び１１５１ａｄ２を総括する。図７（Ｂ）における各プリズム部の配置は以下の通りである。
・プリズム部１１５１ａｖ１、１１５１ａｖ２：再結像レンズ１１５の中央部にてＹ方向に配列される。
・プリズム部１１５１ａｈ１、１１５１ａｈ２：再結像レンズ１１５の中央部にてＸ方向に配列される。
・プリズム部１１５１ａｓ１、１１５１ａｄ２、１１５１ａｓ２、及び１１５１ａｄ１：プリズム部１１５１ａｖ１、１１５１ａｈ１、１１５１ａｖ２、１１５１ａｈ２にそれぞれ隣接して斜め方向に配列される。
【００２３】
再結像レンズ１１５の入射側がプリズム部である、図７（Ｂ）を例にして各プリズム部を説明する。この場合、再結像レンズ１１５は、中央部に、開口１１０ａの長手方向（Ｙ方向）に配列された１対のプリズム部１１５１ａｖ１及び１１５１ａｖ２を備える。開口１１０ａの短手方向（Ｘ方向）には、１対のプリズム部１１５１ａｈ１及び１１５１ａｈ２が配置される。１対のプリズム部１１５１ａｖ１及び１１５１ａｖ２は、開口１１０ａにより制限された光束を開口１１０ａの長手方向（Ｙ方向）に分割する。１対のプリズム部１１５１ａｈ１及び１１５１ａｈ２は、開口１１０ａにより制限された光束を開口１１０ａの短手方向（Ｘ方向）に分割する。
【００２４】
更に、再結像レンズ１１５は、中央部に、左斜め４５度方向に配列された１対のプリズム部１１５１ａｓ１及び１１５１ａｓ２と、右斜め４５度方向に配列された１対のプリズム部１１５１ａｄ１及び１１５１ａｄ２を有する。左斜め４５度の方向（第１の斜め方向）は、光軸ＯＡ1の上流から下流側を見た場合における開口１１０ａの長手方向に対して左回りに４５度回転した方向である。右斜め４５度の方向（第２の斜め方向）は、光軸ＯＡ1の上流から下流側を見た場合における開口１１０ａの長手方向に対して右回りに４５度回転した方向であり、光軸ＯＡ1に垂直な面内における左斜め４５度方向に垂直な方向である。１対のプリズム部１１５１ａｓ１及び１１５１ａｓ２は、開口１１０ａにより制限された光束を左斜め４５度の方向に分割する。１対のプリズム部１１５１ａｄ１及び１１５１ａｄ２は、開口１１０ａにより制限された光束を右斜め４５度の方向に分割する。なお、図７（Ａ）に示すように、再結像レンズ１１５が入射側にレンズ部１１５０ａを有する形態でも、焦点検出装置１００において上記と同様の役割を果たす。
【００２５】
一方、図７（Ｃ）に示すように、再結像レンズ１１５は射出側に、プリズム部（図７（Ｂ）参照）やレンズ部（図７（Ａ）参照）にそれぞれ対応するレンズ部１１５２ａを有する。球面形状を有するレンズ部１１５２ａは、レンズ部１１５２ａｖ１、１１５２ａｖ２、１１５２ａｈ１、１１５２ａｈ２、１１５２ａｓ１、１１５２ａｓ２、１１５２ａｄ１、及び１１５２ａｄ２を総括する。図７（Ｃ）における各レンズ部の配置は以下の通りである。
・レンズ部１１５２ａｖ１、１１５２ａｖ２：再結像レンズ１１５の中央部にてＹ方向に配列される。
・レンズ部１１５２ａｈ１、１１５２ａｈ２：再結像レンズ１１５の中央部にてＸ方向に配列される。
・レンズ部１１５２ａｄ１、１１５２ａｓ２、１１５２ａｄ２、及び１１５２ａｓ１：レンズ部１１５２ａｖ１、１１５２ａｈ２、１１５２ａｖ２、１１５２ａｈ１にそれぞれ隣接して斜め方向に配列される。
【００２６】
１対のレンズ部１１５２ａｖ１及び１１５２ａｖ２は、中央部にて開口１１０ａの長手方向（Ｙ方向）に配列され、当該方向に分割された光束を焦点検出センサ１１６に導く。また、１対のレンズ部１１５２ａｈ１及び１１５２ａｈ２は、中央部にて開口１１０ａの短手方向（Ｘ方向）に配列され、当該方向に分割された光束を焦点検出センサ１１６に導く。更に、再結像レンズ１１５において、光軸ＯＡ1の上流から下流側を見た場合、左斜め４５度方向に配列された１対のレンズ部１１５２ａｓ１及び１１５２ａｓ２は、左斜め４５度方向に分割された光束を焦点検出センサ１１６に導く。また、右斜め４５度方向に配列された１対のレンズ部１１５２ａｄ１及び１１５２ａｄ２は、右斜め４５度方向に分割された光束を焦点検出センサ１１６に導く。
【００２７】
第１の焦点検出光学系（以下、第１検出系という）ＦＤ１は、撮像レンズ１０の射出瞳１０ａ、１０ｃ、１０ｅ、１０ｇ（図２参照）をそれぞれ通過する光束を用いて焦点検出を行う。第１検出系ＦＤ１は、例えば以下の要素から構成される。
・視野マスク１１０、フィールドレンズ１１１、フィルタ１１３。
・多孔絞り１１４の開口部１１４ａｖ１、１１４ａｖ２、１１４ａｈ１、１１４ａｈ２。
・再結像レンズ１１５のプリズム部１１５１ａｖ１、１１５１ａｖ２、１１５１ａｈ１、１１５１ａｈ２及びレンズ部１１５２ａｖ１、１１５２ａｖ２、１１５２ａｈ１、１１５２ａｈ２。
・焦点検出センサ１１６。
つまり、第１検出系ＦＤ１は、第１の基線長を有し、開口１１０ａの短手方向（Ｘ方向）及び長手方向（Ｙ方向）に分割された光束を用いて焦点検出を行う。
【００２８】
第２の焦点検出光学系（以下、第２検出系という）ＦＤ２は、撮像レンズ１０の射出瞳１０ｂ、１０ｄ、１０ｆ、１０ｈ（図２参照）をそれぞれ通過する光束を用いて焦点検出を行う。第２検出系ＦＤ２は、例えば以下の要素から構成される。
・視野マスク１１０、フィールドレンズ１１１、フィルタ１１３。
・多孔絞り１１４の開口部１１４ａｓ１、１１４ａｓ２、１１４ａｄ１、１１４ａｄ２。
・再結像レンズ１１５のプリズム部１１５１ａｓ１、１１５１ａｓ２、１１５１ａｄ１、１１５１ａｄ２及びレンズ部１１５２ａｓ１、１１５２ａｓ２、１１５２ａｄ１、１１５２ａｄ２。
・焦点検出センサ１１６。
つまり、第２検出系ＦＤ２は、第２の基線長を有し、開口１１０ａの長手方向に対して４５度回転した方向に分割された光束を用いて焦点検出を行う。
第１検出系ＦＤ１と第２検出系ＦＤ２は、被写体の同一領域の光学像を、分割方向の異なる瞳を用いて焦点検出センサ１１６上に形成する。つまり、第１検出系ＦＤ１と第２検出系ＦＤ２は、被写体の同一領域に対する焦点検出を行う。
【００２９】
次に、焦点検出装置１００の焦点検出動作を説明する。但し、図７における参照番号の末尾の符号１及び２は、位相差検出方式の焦点検出装置において対となる２つの物体像を形成するための各要素を表す。
視野マスク１１０の開口１１０ａを通過した光束（開口１１０ａにより制限された光束）は、フィールドレンズ１１１のレンズ部１１１ａを透過し、フィルタ１１３を介して多孔絞り１１４に入射する。次に、多孔絞り１１４に対して光軸ＯＡ1の下流に位置する再結像レンズ１１５の各プリズム部及びレンズ部に、視野マスク１１０の開口１１０ａを通過した光束（開口１１０ａにより制限された光束）が導かれる。視野マスク１１０の開口１１０ａは、フィールドレンズ１１１のレンズ部１１１ａ、多孔絞り１１４の開口部１１４ａ、再結像レンズ１１５のプリズム部１１５１ａ及びレンズ部１１５２ａを有する焦点検出光学系に対して設けられている。
【００３０】
再結像レンズ１１５から射出した光束は、光軸ＯＡ1の下流に位置する焦点検出センサ１１６に入射する。焦点検出センサ１１６の受光面上には、視野マスク１１０の開口１１０ａをそれぞれ物体像（光学像）とした対の２次像が４組（即ち、８個）形成される。
本実施形態では、焦点検出センサ１１６に結像する光学像の大きさが、第１検出系ＦＤ１と第２検出系ＦＤ２とで異なる。図８は、本実施形態に係る再結像レンズ１１５のＸＺ中央断面図である。図８では、再結像レンズの入射側はプリズム面を有する。再結像レンズ１１５のレンズ部１１５２ｘ（ｘはａｖ１，ａｖ２，ａｈ１，ａｈ２，ａｓ１，ａｓ２，ａｄ１，ａｄ２のいずれかを表す）の像側主面を１１５３ｘとする。
【００３１】
再結像レンズ１１５の像側主面１１５３ａｄ１、１１５３ａｓ１は、像側主面１１５３ａｖ１、１１５３ａｈ１、１１５３ａｈ２よりも焦点検出センサ１１６から被写体側に離れている。また像側主面１１５３ａｄ２、１１５３ａｓ２は、像側主面１１５３ａｖ１、１１５３ａｈ１、１１５３ａｈ２よりも焦点検出センサ１１６から被写体側に離れている。レンズ部１１５２ａｓ１、１１５２ａｓ２、１１５２ａｄ１、１１５２ａｄ２の曲率半径は、レンズ部１１５２ａｖ１、１１５２ａｖ２、１１５２ａｈ１、１１５２ａｈ２の曲率半径よりも大きい。
【００３２】
このとき、第２検出系ＦＤ２の結像倍率は、第１検出系ＦＤ１の結像倍率に対して大きくなる。図９は、第２検出系ＦＤ２の光学像が、第１検出系ＦＤ１の光学像よりも大きい場合の、焦点検出センサ１１６上における光学像の配置例を示す。図９において、光学像１１６ａｖ１〜１１６ａｄ２は、撮像レンズ１０の合焦時に視野マスク１１０の開口１１０ａによって形成される。光学像１１６ａｖ１、１１６ａｖ２、１１６ａｈ１、１１６ａｈ２は、第１検出系ＦＤ１により分割された光束により形成される光学像である。その内側には素子配列１１７ａｖ１、１１７ａｖ２、１１７ａｈ１、１１７ａｈ２が配置されている。第１の検出面部１１６１は、素子配列１１７ａｖ１、１１７ａｖ２、１１７ａｈ１、１１７ａｈ２を有する。また、光学像１１６ａｓ１、１１６ａｓ２、１１６ａｄ１、１１６ａｄ２は、第２検出系ＦＤ２により分割された光束により形成される。その内側には素子配列１１７ａｓ１、１１７ａｓ２、１１７ａｄ１、１１７ａｄ２が配置されている。第２の検出面部１１６２は、素子配列１１７ａｓ１、１１７ａｓ２、１１７ａｄ１、１１７ａｄ２を有する。
【００３３】
各焦点検出素子（例えば、フォトダイオード）は、受光した光束を光電変換することにより、焦点検出用の信号を発生させる。第１検出系ＦＤ１における結像光学系の構成と、第２検出系ＦＤ２における結像光学系の構成を比較した場合、結像レンズの像側主面位置と、光学系の結像倍率が異なる。光学像が大きくなると、焦点位置の変動を焦点検出センサ１１６が精緻に検出できるようになるため、焦点検出精度が高くなる。仮に、第１検出系ＦＤ１の結像倍率を、第２検出系ＦＤ２と同様に大きくした場合、焦点検出センサ１１６自体を大型化しなければならない。しかし、図９に示すように第２検出系ＦＤ２の結像倍率を、第１検出系ＦＤ１の結像倍率よりも相対的に大きくすることで、焦点検出センサ１１６の大型化を防ぎつつ、焦点検出の高精度化が可能となる。したがって、本実施形態によれば、撮像素子の大きさと焦点検出精度のバランスが取れた焦点検出装置を提供できる。
【００３４】
［第２実施形態］
次に、本発明の第２実施形態を説明する。第２実施形態に係る焦点検出装置は、再結像レンズ１１５の像側主面位置と、第２検出系ＦＤ２の結像倍率を除いて、第１実施形態と同様の構成である。よって、以下では第１実施形態と同様の構成については既に使用した符号を用いることで、それらの詳細な説明を省略し、主に相違点を説明する。このような説明の省略については後述の実施形態でも同様である。
【００３５】
図１０は第２実施形態に係る再結像レンズ１１５のＸＺ中央断面図ある。図１０では、再結像レンズ１１５は入射側がプリズム面である。再結像レンズ１１５における像側主面１１５３ａｄ１、１１５３ａｄ２、１１５３ａｓ１、１１５３ａｓ２は、像側主面１１５３ａｖ１、１１５３ａｖ２、１１５３ａｈ１、１１５３ａｈ２よりも焦点検出センサ１１６側に位置している。また、レンズ部１１５２ａｓ１、１１５２ａｓ２、１１５２ａｄ１、１１５２ａｄ２の曲率半径は、レンズ部１１５２ａｖ１、１１５２ａｖ２、１１５２ａｈ１、１１５２ａｈ２の曲率半径よりも小さい。この場合、第２検出系ＦＤ２の結像倍率は、第１検出系ＦＤ１の結像倍率に対して小さくなる。その結果、第２検出系ＦＤ２の光学像１１６ａｓ１、１１６ａｓ２、１１６ａｄ１、１１６ａｄ２の大きさは、第１検出系ＦＤ１の光学像１１６ａｖ１、１１６ａｖ２、１１６ａｈ１、１１６ａｈ２よりも小さくなる。
【００３６】
図１１は、本実施形態において光学像が形成された状態の焦点検出センサ１１６を示す概略平面図である。図１１では、焦点検出センサ１１６のサイズが図９に示すセンサと比べて小さいため、基線長１０ｂｆ及び基線長１０ｄｈ（図２参照）を図９の場合ほど長くすることはできない。しかし、結像倍率を変えずに基線長１０ｂｆ及び基線長１０ｄｈを短くすると、焦点検出光学系ＦＤ２、ＦＤ１による各光学像の重なりが発生し、第１検出系ＦＤ１の焦点検出の精度が低下する可能性がある。そのため、本実施形態では第２検出系ＦＤ２の光学像を相対的に小さくすることで、光学像同士の重なり合いを回避しつつ、第２検出系ＦＤ２の光学像を焦点検出センサ１１６に結像させることが可能となる。したがって、焦点検出センサ１１６の大きさに制約がある場合でも、高精度な焦点検出が可能となる。
【００３７】
本実施形態によれば、第２検出系ＦＤ２の光学像を、第１検出系ＦＤ１の光学像に比べて相対的に小さくすることで、撮像素子を小型化しても焦点検出精度が損なわれない。よって撮像素子と焦点検出精度のバランスが取れた焦点検出装置を提供できる。
なお、本実施形態において、第２検出系ＦＤ２は、第１検出系ＦＤ１に対して斜め方向に光束を分割している。これに限らず、図１２に示すように、第２検出系ＦＤ２の光束の分割方向が、第１検出系ＦＤ１の光束の分割方向と同一方向であってもよい。これにより、焦点検出センサ１１５を短辺方向に小さくすることができる。この場合、図１２の光学像１１６ａｈ１及び１１６ａｈ２が第１検出系ＦＤ１による光学像である。それよりも小さい光学像１１６ａｈ３及び１１６ａｈ４が第２検出系ＦＤ２の光学像である。
【００３８】
［第３実施形態］
次に、本発明の第３実施形態を説明する。本実施形態に係る焦点検出装置は、再結像レンズ１１５の像側主面の位置、レンズ部の曲率半径、焦点検出センサ１１６の構造を除いて、第１実施形態の場合と同様の構成である。
【００３９】
図１３は、本実施形態に係る焦点検出センサのＸＺ側面図である。平面１１６３は、第１の検出面部１１６１が存在する平面である。また、平面１１６４は、第２の検出面部１１６２が存在する平面である。第１の検出面部１１６１と第２の検出面部１１６２は互いに平行な位置関係を有する。段差構造１１７は焦点検出センサ１１６の表面にて、平面１１６３と平面１１６４との間に構築される段差部である。第１検出系ＦＤ１における結像光学系の光路長と、第２検出系ＦＤ２における結像光学系の光路長は、検出面側の構成である段差構造１１７によって異なる。第１検出系ＦＤ１に含まれる再結像レンズ１１５の像側主面１１５３ａｖ１、１１５３ａｖ２、１１５３ａｈ１、１１５３ａｈ２と第１の検出面部１１６１との間の光路長をＬＡとする。また、第２検出系ＦＤ２に含まれる再結像レンズ１１５の像側主面１１５３ａｓ１、１１５３ａｓ２、１１５３ａｄ１、１１５３ａｄ２と第２の検出面部１１６２との間の光路長をＬＢと記す。段差構造１１７により、「ＬＡ＜ＬＢ」であり、第２検出系ＦＤ２の結像倍率は、第１検出系ＦＤ１の結像倍率よりも大きくなる。そのため、第２検出系ＦＤ２の光学像１１６ａｓ１、１１６ａｓ２、１１６ａｄ１、１１６ａｄ２の大きさは、第１検出系ＦＤ１の光学像１１６ａｖ１、１１６ａｖ２、１１６ａｈ１、１１６ａｈ２よりも大きくなる。この場合、焦点検出センサ１１６の表面における光学像の配置は、図９のようになる。光学像が大きくなると、焦点位置の変動を焦点検出センサ１１６が精緻に検出できるため、焦点検出精度が高くなる。
【００４０】
第１検出系ＦＤ１の結像倍率を、第２検出系ＦＤ２と同様に大きくした場合には、焦点検出センサ１１６自体を大型化しなければならない。しかし、図９に示すように第２検出系ＦＤ２の結像倍率を、第１検出系ＦＤ１の結像倍率に比べて相対的に大きくすることで、焦点検出センサ１１６の大型化を防ぎつつ、焦点検出精度の高精度化が可能となる。よって、撮像素子の大きさと焦点検出精度のバランスが取れた焦点検出装置を提供できる。
【００４１】
上記の段差構造１１７では、平面１１６３が平面１１６４よりも再結像レンズ１１５側に位置するが、平面１１６４が平面１１６３よりも再結像レンズ１１５側に位置する段差構造になっていてもよい。この場合、第２検出系ＦＤ２の結像倍率が、第１検出系ＦＤ１の結像倍率よりも小さくなる。その結果、第２検出系ＦＤ２の光学像１１６ａｓ１、１１６ａｓ２、１１６ａｄ１、１１６ａｄ２の大きさは、第１検出系ＦＤ１の光学像１１６ａｖ１、１１６ａｖ２、１１６ａｈ１、１１６ａｈ２よりも小さくなる。これにより、焦点検出センサ表面での光学像の配置は図１１のようになる。
【００４２】
図１１では、焦点検出センサ１１６のサイズが図９と比べて小さいので、基線長１０ｂｆ及び基線長１０ｄｈを図９ほど長くすることはできない。しかし、結像倍率を変えずに基線長１０ｂｆ及び基線長１０ｄｈを短くすると、検出系同士の光学像の重なり合いにより、第１検出系ＦＤ１の焦点検出精度が低下する可能性がある。そのため、第２検出系ＦＤ２の光学像を小さくすることで、光学像同士が重ならずに、第２検出系ＦＤ２の光学像を焦点検出センサ１１６に結像させることができる。したがって、焦点検出センサ１１６の大きさに制約がある場合でも、高精度な焦点検出が可能となる。
以上のように第２検出系ＦＤ２による光学像を、第１検出系ＦＤ１による光学像に対して小さくすることで、撮像素子を小型化しても焦点検出精度が損なわれることがない。よって、撮像素子と焦点検出精度のバランスが取れた焦点検出装置を提供できる。
【００４３】
［第４実施形態］
次に、本発明の第４実施形態を説明する。本実施形態に係る焦点検出装置は、焦点検出センサ１１６の構造を除いて第３実施形態と同様の構成である。
図１４は、本実施形態に係る焦点検出センサ１１５のＸＺ側面図である。焦点検出センサ１１６の表面を保護するための保護膜（保護層）１１８は、例えば樹脂やガラスで形成される。段差構造１１９は、保護膜１１８に形成されている。段差構造１１９では、第１の検出面部１１６１上の保護膜厚に対して、第２の検出面部１１６２上の保護膜厚が厚くなっている。すなわち、保護膜厚を焦点検出センサ１１６上で選択的に変化させている。段差構造１１９については、例えば樹脂層を微細加工プロセスによって選択的に積層する処理や、ガラスを選択的にエッチングする処理などによって得られる。この場合、第１検出系ＦＤ１における結像光学系の光路長と、第２検出系ＦＤ２における結像光学系の光路長は、検出面側の構成である段差構造１１９によって異なる。第１検出系ＦＤ１に含まれる再結像レンズ１１５の像側主面１１５３ａｖ１、１１５３ａｖ２、１１５３ａｈ１、１１５３ａｈ２と第１の検出面部１１６１との間の光路長をＬＣとする。また第２検出系ＦＤ２に含まれる再結像レンズ１１５の像側主面１１５３ａｓ１、１１５３ａｓ２、１１５３ａｄ１、１１５３ａｄ２と第２の検出面部１１６２との間の光路長をＬＤとする。段差構造１１９により、「ＬＣ＜ＬＤ」であり、第２検出系ＦＤ２の結像倍率は、第１検出系ＦＤ１の結像倍率よりも大きくなる。そのため、焦点検出センサ１１６の表面における光学像の配置は図９のようになる。光学像が大きくなると、焦点位置の変動を焦点検出センサ１１６が精緻に検出できるので、焦点検出精度が高くなる。第２検出系ＦＤ２の結像倍率を、第１検出系ＦＤ１の結像倍率に比べて相対的に大きくすることで、焦点検出センサ１１６の大型化を防ぎつつ、焦点検出精度の高精度化が可能となる。よって、撮像素子の大きさと焦点検出精度のバランスが取れた焦点検出装置を提供できる。
【００４４】
段差構造１１９の場合、第１の検出面部１１６１上の保護膜厚に対して、第２の検出面部１１６２上の保護膜厚が厚くなっている。これに限らず、第１の検出面部１１６１上の保護膜厚に対して、第２の検出面部１１６２上の保護膜厚が薄くなるような段差構造でもよい。この場合、第２検出系ＦＤ２の結像倍率が、第１検出系ＦＤ１の結像倍率よりも小さくなる。その結果、第２検出系ＦＤ２の光学像１１６ａｓ１、１１６ａｓ２、１１６ａｄ１、１１６ａｄ２の大きさは、第１検出系ＦＤ１の光学像１１６ａｖ１、１１６ａｖ２、１１６ａｈ１、１１６ａｈ２よりも小さくなる。焦点検出センサの表面での光学像の配置は図１１のようになる。
【００４５】
図１１では、焦点検出センサ１１６のサイズが図９と比べて小さいため、基線長１０ｂｆ及び基線長１０ｄｈを図９ほど長くすることはできない。しかし、結像倍率を変えずに基線長１０ｂｆ及び基線長１０ｄｈを短くすると、検出系同士の光学像の重なり合いにより、第１検出系ＦＤ１の焦点検出精度が低下する可能性がある。そのため、第２検出系ＦＤ２の光学像を小さくすることで、光学像同士が重ならずに、第２検出系ＦＤ２の光学像を焦点検出センサ１１６に結像させることができる。したがって焦点検出センサ１１６の大きさに制約がある場合でも、高精度な焦点検出が可能である。
以上のように第２検出系ＦＤ２の光学像を第１検出系ＦＤ１の光学像に対して小さくすることで、撮像素子を小型化しても焦点検出精度が損なわれることがない。よって、撮像素子と焦点検出精度のバランスが取れた焦点検出装置を提供できる。
【００４６】
［第５実施形態］
次に、本発明の第５実施形態を説明する。本実施形態に係る焦点検出装置は、焦点検出センサ１１６の構造を除いて第３実施形態と同様の構成である。
図１５は、本実施形態に係る焦点検出センサのＸＺ側面図である。焦点検出センサ１１６は段差構造１１７及び保護膜１１８を有している。保護膜１１８の表面は一様な平面で構成されている。なお、図１６に示すように、保護膜１１８自身が段差構造１１９を有していてもよい。この場合、第１検出系ＦＤ１における結像光学系の光路長と、第２検出系ＦＤ２における結像光学系の光路長は、検出面側の構成である段差構造１１７及び段差構造１１９によって異なる。
【００４７】
再結像レンズ１１５の像側主面と第１の検出面部１１６１との間の光路長をＬＥとする。また、再結像レンズ１１５の像側主面と第２の検出面部１１６２との間の光路長をＬＦとする。本実施形態では、保護膜１１８を備えていない焦点検出センサ１１６と比べて、光路長ＬＥとＬＦとの差分を、限られたスペースで効率的に大きくすることができる。図１６では、第１検出系ＦＤ１に含まれる再結像レンズ１１５の像側主面１１５３ａｖ１、１１５３ａｖ２、１１５３ａｈ１、１１５３ａｈ２と第１の検出面部１１６１との間の光路長がＬＥである。また、第２検出系ＦＤ２に含まれる再結像レンズ１１５の像側主面１１５３ａｓ１、１１５３ａｓ２、１１５３ａｄ１、１１５３ａｄ２と第２の検出面部１１６２との間の光路長がＬＦである。段差構造１１７、保護膜１１８及び段差構造１１９により、「ＬＥ＜ＬＦ」であり、第２検出系ＦＤ２の結像倍率が、第１検出系ＦＤ１の結像倍率よりも大きくなる。そのため、焦点検出センサ１１６の表面における光学像の配置は図９のようになる。光学像が大きくなると、焦点位置の変動を焦点検出センサ１１６が精緻に検出できるので、焦点検出精度が高くなる。
【００４８】
第１検出系ＦＤ１の結像倍率を、第２検出系ＦＤ２と同様に大きくした場合、焦点検出センサ１１６自体を大型化しなければならない。しかし、図９に示すように第２検出系ＦＤ２の結像倍率を、第１検出系ＦＤ１の結像倍率に比べて相対的に大きくすることで、焦点検出センサ１１６の大型化を防ぎつつ、焦点検出精度の高精度化が可能となる。これにより、撮像素子の大きさと焦点検出精度のバランスが取れた焦点検出装置を提供できる。
【００４９】
また、段差構造１１７にて、第１の検出面部１１６１が第２の検出面部１１６２と比べて再結像レンズ１１５から離れるような構造とする。段差構造１１９では、第１の検出面部１１６１上の保護膜厚が第２の検出面部１１６２の保護膜厚よりも厚くなる構造とする。この場合、再結像レンズ１１５の像側主面と第１の検出面部１１６１との間の光路長よりも、再結像レンズ１１５の像側主面と第２の検出面部１１６２との間の光路長を短くすることができる。第２検出系ＦＤ２の結像倍率が、第１検出系ＦＤ１の結像倍率よりも小さくなる。その結果、第２検出系ＦＤ２の光学像１１６ａｓ１、１１６ａｓ２、１１６ａｄ１、１１６ａｄ２の大きさは、第１検出系ＦＤ１の光学像１１６ａｖ１、１１６ａｖ２、１１６ａｈ１、１１６ａｈ２よりも小さくなる。これにより、焦点検出センサの表面での光学像の配置は図１１のようになる。
【００５０】
図１１では、焦点検出センサ１１６のサイズが図９と比べて小さいため、基線長１０ｂｆ及び基線長１０ｄｈを図９ほど長くすることはできない。しかし、結像倍率を変えずに基線長１０ｂｆ及び基線長１０ｄｈを短くすると、検出系同士の光学像の重なり合いにより、第１検出系ＦＤ１の焦点検出精度が低下する可能性がある。そのため、第２検出系ＦＤ２の光学像を小さくすることで、光学像同士が重ならずに、第２検出系ＦＤ２の光学像を焦点検出センサ１１６に結像させることができる。したがって、焦点検出センサ１１６の大きさに制約がある場合でも、高精度な焦点検出が可能である。
以上のように第２検出系ＦＤ２の光学像を第１検出系ＦＤ１の光学像に対して小さくすることで、撮像素子を小型化しても焦点検出精度が損なわれることがない。よって、撮像素子と焦点検出精度のバランスが取れた焦点検出装置を提供できる。
【符号の説明】
【００５１】
１０：撮像レンズ
１０ａｅ，１０ｃｇ，１０ｂｆ，１０ｄｈ：撮像レンズの射出瞳の重心間距離（基線長）
１００：焦点検出装置
１１５：結像レンズ（再結像レンズ）
１１５３ａｖ１〜１１５３ａｄ２：像側主面
１１６  焦点検出センサ
１１６１，１１６２：検出面部
１１７：段差構造
１１８：保護膜
【図１】
2015036793.tif 000003
【図２】
2015036793.tif 000004
【図３】
2015036793.tif 000005
【図４】
2015036793.tif 000006
【図５】
2015036793.tif 000007
【図６】
2015036793.tif 000008
【図７】
2015036793.tif 000009
【図８】
2015036793.tif 000010
【図９】
2015036793.tif 000011
【図１０】
2015036793.tif 000012
【図１１】
2015036793.tif 000013
【図１２】
2015036793.tif 000014
【図１３】
2015036793.tif 000015
【図１４】
2015036793.tif 000016
【図１５】
2015036793.tif 000017
【図１６】
2015036793.tif 000018
【図１７】
2015036793.tif 000019